(57)【要約】      （修正有）【課題】現場に搬入が容易な大きさのワイヤソーユニットを複数台組み合わせ使用して切断能力を増大させることにより施工時間を短縮する。【解決手段】第一ワイヤソーユニット１ａと第三ワイヤソーユニット１ｃが直線的に配列され、第二ワイヤソーユニット１ｂが、第一と第三ワイヤソーユニット１ａ、１ｃを結ぶ直線から外れた位置に設置され、第二ワイヤソーユニット１ｂと第一及び第三ワイヤソーユニットの間に配置された連結用のキャスタープーリ５ａ、５ｂがワイヤ３の走行方向を自在に変換するのでワイヤソーユニットのレイアウトを変更することができる。ワイヤ３が複数のワイヤソーユニットに駆動されるので切断力が増大され、切断時間が短縮される。【選択図】図３
2011021423.tif 000002
【特許請求の範囲】
【請求項１】
ワイヤ駆動プーリ、ワイヤ巻取補助プーリ、及びワイヤ巻取調整プーリを有する複数台のワイヤソーユニットを、キャスタープーリを介して無端状としたワイヤが各ワイヤソーユニットによって駆動されるように連結化し、第一及び最終ワイヤソーユニットのキャスタープーリを介して無端状のワイヤを切断対象物に巻きつけて切断する切断方法。
【請求項２】
請求項１において、ワイヤソーユニットが３台であり、第一と第三ワイヤソーユニットが直線的に配列され、第二ワイヤソーユニットが、第一と第三ワイヤソーユニットを結ぶ直線から外れた位置に設置され、第二ワイヤソーユニットと第一及び第三ワイヤソーユニットの間に配置されたキャスタープーリが、第一と第二ワイヤソーユニットを結ぶ直線に対して斜め、又は直角方向にワイヤソーを導くように配置させたものである切断方法。
【請求項３】
請求項１において、ワイヤソーユニットが４台であり、第一と第四ワイヤソーユニットが直線的に配列され、第二と第三ワイヤソーユニットが直線的に配列され、第一と第四ワイヤソーユニットを結ぶ直線から外れた位置に設置され、第一ワイヤソーユニットと第二ワイヤソーユニット、及び第三ワイヤソーユニットと第四ワイヤソーユニットの間に配置されたキャスタープーリは第一と第四ワイヤソーユニットを結ぶ直線に対して斜め、又は直角方向にワイヤソーを導くように配置させたものである切断方法。
【発明の詳細な説明】
【技術分野】
【０００１】
本発明は、コンクリート構造物や岩石を切断する際に使用するダイヤモンドワイヤソーユニットを複数使用して切断能力を増大させる切断方法に関する。
【背景技術】
【０００２】
ダイヤモンドワイヤソーを使用してコンクリート構造物の切断解体（特開平９−４１６８２号公報、特許第２５９５４７０号公報参照）や採石場での石材の切り出し（特開平６−２４６７３６号公報参照）などがおこなわれている。ダイヤモンドワイヤソーは、切削用ダイヤモンドビーズをスチールワイヤに適宜の間隔で固定して設けた構造のものであり、ワイヤを切断対象物に巻きつけ、駆動装置によってワイヤを高速走行させて対象物に食い込ませていき切断するものである。
【０００３】
ダイヤモンドワイヤソーによる切断工法は、低騒音・低振動でコンクリート構造物を自在に切断することができるため、特許文献１などで提案されているように、構造物の切断撤去及び高速道路の伸縮継手の補修・交換時のコンクリート床版及び伸縮継手の切断撤去に使用されている。
【先行技術文献】
【特許文献】
【０００４】
【特許文献１】特開２００１−２２６９１４号
【発明の概要】
【発明が解決しようとする課題】
【０００５】
都市部や交通量の多い高速道路、鉄道、空港等のターミナルでは、夜間の限られた時間内での施工が要求されているが、搬入が容易な従来の小型ワイヤソー駆動装置では能力的な限界があり、施工時間を短縮することができなかった。
能力の大きなワイヤソー駆動装置は、装置が大型となり、施工現場に搬入することが困難な場合が多く、また、なんとか搬入できた場合でも設置・段取りに時間がかかる等、実際の切断作業時間を短縮でき得てもトータルの作業時間を短縮することができず、全体工事時間を短縮できなかった。
そこで、本発明は、切断時間を短縮するために施工現場に搬入が容易な大きさのワイヤソーユニットを複数台組み合わせて切断能力を向上させることにより切断時間を短縮して全体工事時間を短縮して工事現場の早期開放を可能にするものである。
【課題を解決するための手段】
【０００６】
ワイヤ駆動プーリ、ワイヤ巻取補助プーリ、及びワイヤ巻取調整プーリを有する複数台のワイヤソーユニットを、キャスタープーリを介して無端状としたワイヤが各ワイヤソーユニットによって駆動されるように連結化して切断対象物を切断する方法である。
ワイヤソーユニットが３台の場合、第一と第三ワイヤソーユニットを直線的に配列し、第二ワイヤソーユニットを、第一と第三ワイヤソーユニットを結ぶ直線から外れた位置に設置し、第二ワイヤソーユニットと第一及び第三ワイヤソーユニットの間に配置されたキャスタープーリによってワイヤの走行方向を変換して切断対象物を切断する方法である。
【０００７】
ワイヤソーユニットが４台の場合、第一と第四ワイヤソーユニットが直線的に配列され、第二と第三ワイヤソーユニットが直線的に配列されると共に第一と第四ワイヤソーユニットを結ぶ直線から外れた位置に設置され、第一ワイヤソーユニットと第二ワイヤソーユニット、及び第三ワイヤソーユニットと第四ワイヤソーユニットの間に配置されたキャスタープーリによってワイヤの走行方向を変換して切断対象物を切断する方法である。
【発明の効果】
【０００８】
ワイヤソーユニットを複数台組み合わせ使用してワイヤを配設するようにしたので、作業現場への搬入、設置が容易となり大型のワイヤソー駆動装置を使用した場合と比較しても短時間で完了することができ、更にワイヤソーユニットの使用台数を増やしていくことにより、切断能力が増大するので構造物の切断時間を短縮することができ、高速道路の伸縮継手の切断撤去に使用した場合は、交通を遮断する時間を短縮でき、早期の工事現場開放により円滑な道路の通行を確保することができる。
【図面の簡単な説明】
【０００９】
【図１】二台のワイヤソーユニットを連結した状態の概念図。
【図２】二台のワイヤソーユニットを連結した他の状態の概念図。
【図３】三台のワイヤソーユニットを連結した状態の概念図。
【図４】四台のワイヤソーユニットを連結した状態の概念図。
【図５】ワイヤソーユニットの一例の概念図。
【発明を実施するための最良の形態】
【００１０】
本発明の切断方法におけるワイヤソーユニットの組み合わせ配置、及び相互連結のためのキャスタープーリの配置を概念図に基づいて説明する。
ワイヤソーユニット１は、図５に示すように、ワイヤ３に駆動力を与える駆動プーリ２、切断作業進行と共に生じるワイヤ３のたるみを調節するワイヤ調整プーリ２１、２２、及び補助プーリ２３と、ワイヤ３の走行方向を水平方向に変換するキャスタープーリ５をワイヤの入口と出口の両端に配置させたものであり、移動用の車輪が設けてある基台（図示しない）に設置してある。
比較的小型の同能力のワイヤソーユニット１を複数配列し、無端状としたワイヤ３を第一ワイヤソーユニットから最終のワイヤソーユニットに順に掛け渡して切断対象物に巻きつけて全体が協調して動作するようにし、各ユニットのワイヤ巻取調整プーリ２１、２２でワイヤ３に張力を与えることによって切断能力を増大させて切断する方法である。
【００１１】
実施例１
図１に示すように、ワイヤソーユニット１を２台連結した例であり、第一ワイヤソーユニット１ａと第二ワイヤソーユニット１ｂが直列に配置され、ワイヤソーユニット１ａ、１ｂの駆動プーリ２ａ、２ｂの回転軸は平行であり、駆動プーリ２ａ、２ｂは直線上に配置される。
無端状のワイヤ３は第一と第二ワイヤソーユニット１ａ、１ｂに掛け渡されており、第一ワイヤソーユニット１ａから繰り出されたワイヤ３はキャスタープーリ５ａ、５ｂによって走行方向が変換されて第１ワイヤソーユニット１ｂに導かれる。この２つのキャスタープーリ５ａ、５ｂは、プーリの回転方向がワイヤの走行方向に応じて変化するものであるので、任意の位置に設置することができる。
【００１２】
ワイヤ３は第１ワイヤソーユニット１ａの駆動プーリ２ａに巻きかけられ、キャスタープーリ５ａ、５ｂを介して第二ワイヤソーユニット１ｂの調整プーリ２１、２２に導かれ、駆動プーリ２ｂに巻きかけられる。キャスタープーリ５ａ、５ｂは、切断対象物１００の切断が進行して切断箇所がワイヤソーユニット１ａ、１ｂに近接した場合でも、キャスタープーリ５ａ、５ｂはワイヤ３に張力が作用している限り走行方向に追随するので、ワイヤ３がキャスタープーリ５ａ、５ｂから外れることはない。
ワイヤソーユニット１ａ、１ｂが連結されて全体を一元化させることで２台の駆動力を使用でき、ワイヤ３を駆動する力が大きくなって切断速度が上がる。
図２に示す例は、第一ワイヤソーユニット１ａと第二ワイヤソーユニット１ｂをずらして配置したものであり、図１の配置例に比較してワイヤソーユニット相互の間隔を小さくしたものである。
【００１３】
実施例２
図３に示すように、ワイヤソーユニットを３台連結した切断方法であり、第一ワイヤソーユニット１ａと第三ワイヤソーユニット１ｃは直線的に配置してあり、それぞれの駆動プーリ２ａ、２ｃは直線上に配置される。第二ワイヤソーユニット１ｂは、第一ワイヤソーユニット１ａと第三ワイヤソーユニット１ｃを結ぶ直線から外れた位置に配置され、各ワイヤソーユニットの間においては、ワイヤ３の走行方向はキャスタープーリ５によって変換される。
【００１４】
ワイヤソーユニット１ａ、１ｂ、１ｃのレイアウトをコンパクトにするため、第一と第三ワイヤソーユニット１ａ、１ｃの間隔を狭めて小さくした場合でも、キャスタープーリ５がワイヤ３の切断走行方向に追随するので円滑に走行することができる。
【００１５】
実施例３
図４に示すように、ワイヤソーユニットを４台連結した切断方法である。
第一と第四ワイヤソーユニット１ａ、１ｄが直線的に配列され、第一と第四ワイヤソーユニットを結ぶ直線から外れた位置に第二と第三ワイヤソーユニット１ｂ、１ｃが直線的に配列されている。ワイヤソーユニットが直線的に配置されていなくても、キャスタープーリによってワイヤ３の走行方向が変換されるのでワイヤ３は円滑に走行することができる。
【符号の説明】
【００１６】
１  ワイヤソーユニット
２  ワイヤ駆動プーリ
２１、２２  ワイヤ巻取調整プーリ
２３  ワイヤ巻取補助プーリ
３    ワイヤ
５    キャスタープーリ
【図１】
2011021423.tif 000003
【図２】
2011021423.tif 000004
【図３】
2011021423.tif 000005
【図４】
2011021423.tif 000006
【図５】
2011021423.tif 000007